(57)【要約】【課題】陳列用のハンガー等に奥から順々に引っ掛けられた（吊り下げられた）バッグを容易に取り出して見ることができるバッグ用ハンガーを提供すること。【解決手段】長手方向および幅方向の全体にわたっておおよそ一定の板厚を有する薄板状に形成されたバッグ用ハンガー１であって、長手方向における上端部に吊下げ用フック２を備え、長手方向における中央部にハンガー本体３を備えるとともに、長手方向における下端部にベルト５を備えており、前記ハンガー本体３の一面３２に、バッグの取っ手を引っ掛ける引掛け用フック４が、外方に突出するようにして立設され、前記引掛け用フック４よりも上方に位置する前記ハンガー本体３の上端部に、前記ベルト５が挿通される横長の開口３４と、前記ベルト５に設けられた長さ調整用の穴５１と係合する第１の凸部３５とが設けられている。【選択図】図３
2012065856.tif 000002
【特許請求の範囲】
【請求項１】
長手方向および幅方向の全体にわたっておおよそ一定の板厚を有する薄板状に形成されたバッグ用ハンガーであって、
長手方向における上端部に吊下げ用フックを備え、長手方向における中央部にハンガー本体を備えるとともに、長手方向における下端部にベルトを備えており、
前記ハンガー本体の一面に、バッグの取っ手を引っ掛ける引掛け用フックが、外方に突出するようにして立設され、
前記引掛け用フックよりも上方に位置する前記ハンガー本体の上端部に、前記ベルトが挿通される横長の開口と、前記ベルトに設けられた長さ調整用の穴と係合する第１の凸部とが設けられていることを特徴とするバッグ用ハンガー。
【請求項２】
前記開口の、前記第１の凸部と対向する上端面の両側方に、下方に向かって突出する二つの第２の凸部が設けられていることを特徴とする請求項１に記載のバッグ用ハンガー。
【請求項３】
前記ハンガー本体に、前記引掛け用フックの両側方および下方を取り囲むようにして、板厚方向に貫通する切欠きが設けられていることを特徴とする請求項１または２に記載のバッグ用ハンガー。
【発明の詳細な説明】
【技術分野】
【０００１】
本発明は、バッグ用ハンガー、特に、再利用可能な材料を用いて形成され、使用後に新たな形成品の材料としてリサイクルされるものに用いて好適なバッグ用ハンガーに関するものである。
【背景技術】
【０００２】
例えば、図１および図２に示すようなバッグＢは、従来、特許文献１の図１に開示されている突軸４２や、特許文献２の図１に開示されている突起部５ａ〜５ｊ等に、奥から順々にバッグＢの取っ手が引っ掛けられる（吊り下げられる）ことにより量販店等の売り場に陳列されていた。
【先行技術文献】
【特許文献】
【０００３】
【特許文献１】特開２００８−２７２２７８号公報
【特許文献２】登録実用新案第３０３４１６４号公報
【発明の概要】
【発明が解決しようとする課題】
【０００４】
しかしながら、このような陳列の仕方では、一番手前に引っ掛けられているバックＢを取り出して見ることは容易であるが、その奥に引っ掛けられているバックＢを取り出して見るためには、そのバッグＢの手前に引っ掛けられているすべてのバッグＢを一旦取り出し、自分が見たいと思うバッグＢを取り出さなければならなかった。
【０００５】
そこで、この対策として、Ｓ字フック等を介して特許文献１の図１に開示されている突軸４２や、特許文献２の図１に開示されている突起部５ａ〜５ｊ等に、バッグＢの取っ手を引っ掛けるようにした例も見受けられる。
しかしながら、このような陳列の仕方では、自分が見たいと思うバッグＢを取り出す際に、取り出そうとするバッグＢがそのバッグＧの手前、あるいはそのバッグＧの奥に陳列されているバッグＢに引っ掛かり、そのバッグＧの手前、あるいはそのバッグＧの奥に陳列されているバッグＢの取っ手がＳ字フック等から外れて取っ手の片方だけがＳ字フック等に引っ掛かった状態となったり、床に落ちてしまったり、あるいは見た目もよくないといった問題点があった。
【０００６】
本発明は、上記の事情に鑑みてなされたもので、陳列用のハンガー等に奥から順々に引っ掛けられた（吊り下げられた）バッグを容易に取り出して見ることができるバッグ用ハンガーを提供することを目的とする。
【課題を解決するための手段】
【０００７】
本発明は、上記課題を解決するため、以下の手段を採用した。
本発明に係るバッグ用ハンガーは、長手方向および幅方向の全体にわたっておおよそ一定の板厚を有する薄板状に形成されたバッグ用ハンガーであって、長手方向における上端部に吊下げ用フックを備え、長手方向における中央部にハンガー本体を備えるとともに、長手方向における下端部にベルトを備えており、前記ハンガー本体の一面に、バッグの取っ手を引っ掛ける引掛け用フックが、外方に突出するようにして立設され、前記引掛け用フックよりも上方に位置する前記ハンガー本体の上端部に、前記ベルトが挿通される横長の開口と、前記ベルトに設けられた長さ調整用の穴と係合する第１の凸部とが設けられている。
【０００８】
本発明に係るバッグ用ハンガーによれば、例えば、図２に示すように、バッグＢの一方の取っ手が引掛け用フック４に引っ掛けられ（吊り下げられ）、バッグＢの他方の取っ手がベルト５に引っ掛けられて、吊下げ用フック２が陳列用のハンガー等に引っ掛けられることになる。
これにより、吊下げ用フック２を把持して横方向（陳列用のハンガー等が延びている方向と直交する方向）にスライドさせるだけで、陳列用のハンガー等に奥から順々に引っ掛けられたいずれのバッグＢをも容易に取り出して見ることができる。
【０００９】
また、本発明に係るバッグ用ハンガーによれば、一方の取っ手を少し持ち上げて外方に移動させるだけで、一方の取っ手が引掛け用フック４から容易に取り外されることになる。
これにより、バッグＢの中を容易に見ることができる。
【００１０】
さらに、本発明に係るバッグ用ハンガーによれば、他方の取っ手が引っ掛けられるベルト５は、長さ調整用の穴５１（図３から図６参照）と第１の凸部３５と（図３から図６参照）が係合することにより、当該バッグ用ハンガーが取り付けられたバッグＧから当該バッグ用ハンガーを取り外し（取れ）難くしている。
これにより、盗難抑止効果を得ることができる。
【００１１】
上記バッグ用ハンガーにおいて、前記開口の、前記第１の凸部と対向する上端面の両側方に、下方に向かって突出する二つの第２の凸部が設けられているとさらに好適である。
【００１２】
このようなバッグ用ハンガーによれば、第２の凸部３６（図３から図６参照）と対向するベルト５の一面（裏面）５２（図４および図５参照）が第２の凸部３６の下端面によって押さえられ、長さ調整用の穴５１と第１の凸部３５との係合が解け難いようになっている。
これにより、盗難抑止効果をさらに高めることができる。
【００１３】
上記バッグ用ハンガーにおいて、前記ハンガー本体に、前記引掛け用フックの両側方および下方を取り囲むようにして、板厚方向に貫通する切欠きが設けられているとさらに好適である。
【００１４】
このようなバッグ用ハンガーによれば、バッグＢの他方の取っ手をベルト５に引っ掛ける際、切欠き３３（図３から図６参照）の外側に位置するハンガー本体３が、ベルト５とともに湾曲することになる。
これにより、バッグＢの他方の取っ手をベルト５に容易に引っ掛けることができ、作業性を向上させることができる。
【発明の効果】
【００１５】
本発明に係るバッグ用ハンガーによれば、陳列用のハンガー等に奥から順々に引っ掛けられた（吊り下げられた）バッグを容易に取り出して見ることができるという効果を奏する。
【図面の簡単な説明】
【００１６】
【図１】本発明の一実施形態に係るバック用ハンガーにバッグが掛けられた状態を示す斜視図である。
【図２】本発明の一実施形態に係るバック用ハンガーにバッグが掛けられた状態を示す側面図である。
【図３】本発明の一実施形態に係るバック用ハンガーの正面図である。
【図４】本発明の一実施形態に係るバック用ハンガーの背面図である。
【図５】本発明の一実施形態に係るバック用ハンガーを背面側から見た斜視図である。
【図６】本発明の一実施形態に係るバック用ハンガーを正面側から見た斜視図である。
【発明を実施するための形態】
【００１７】
以下、本発明の一実施形態に係るバック用ハンガーについて、図１から図６を参照しながら説明する。
図１は本実施形態に係るバック用ハンガーにバッグが掛けられた状態を示す斜視図、図２は本実施形態に係るバック用ハンガーにバッグが掛けられた状態を示す側面図、図３は本実施形態に係るバック用ハンガーの正面図、図４は本実施形態に係るバック用ハンガーの背面図、図５は本実施形態に係るバック用ハンガーを背面側から見た斜視図、図６は本実施形態に係るバック用ハンガーを正面側から見た斜視図である。
【００１８】
図１および図２に示すように、本実施形態に係るバック用ハンガー（以下、「ハンガー」という。）１は、バッグ（被支持体）Ｂが掛けられるものであって、全体が再利用可能な材料である樹脂を用いて一体に形成されたものである。一体に形成する方法としては、射出成型等の公知の方法を用いることができ、特に限定するものではない。
図１および図２には、バッグＢの一例として二本手のブリーフケースが掛けられた状態が示されているが、掛けられるバッグとしては二本手のブリーフケースに限られるものではなく、ボストンバッグ等の種々のバッグであってもよく、特に限定するものではない。
【００１９】
図３から図６のいずれかに示すように、ハンガー１は、長手方向（図３および図４において上下方向）および幅方向（図３および図４において左右方向）の全体にわたっておおよそ一定の板厚を有する薄板状に形成された部材であり、吊下げ用フック（第１のフック部）２と、ハンガー本体（本体部）３と、引掛け用フック（第２のフック部）４と、ベルト（舌片部）５とを備えている。
吊下げ用フック２は、基端（根元）がハンガー本体３の一端部（上端部）一側の角部に連続するとともに、先端（先っぽ）とハンガー本体３の一端部他側の角部との間に所定の隙間Ｇが形成されるようにして、ハンガー１の一端部（上端部）に接続された（設けられた）正面視鉤状を呈する部材であって、バッグＢ（図１および図２参照）が掛けられたハンガー１、あるいはハンガー１そのものを図示しない陳列用のハンガー等に掛ける際に用いられるものである。また、吊下げ用フック２の長手方向（図３および図４において左右方向）における中央部には、正面視円弧状（半円状）の窪み（凹所）２１が設けられており、吊下げ用フック２の内周縁部およびハンガー本体３の一端（上端）周縁部には、正面視（略）ワ字状を呈する肉厚部（補強リブ）２２が、吊下げ用フック２の先端からハンガー本体３の一端部他側の角部近傍まで連続するようにして設けられている。
【００２０】
ハンガー本体３は、正面視矩形状を呈する縦長の部材であり、肉厚部２２よりも下方に位置する一端部には、板厚方向に貫通する貫通穴３１が設けられており、一面（正面：表面）３２の中央部には、引掛け用フック４が一面３２から外方に突出するようにして設けられている。また、ハンガー本体３の長手方向（図３および図４において上下方向）における中央部、およびハンガー本体３の他端部（下端部）には、正面視コ字状を呈するとともに、板厚方向に貫通する切欠き（切込み）３３が、引掛け用フック４の両側方および下方を取り囲むようにして設けられている。
【００２１】
貫通穴３１は、ベルト５が挿通される開口３４と、ベルト５に設けられた長さ調整用の穴５１と係合（嵌合）する（第１の）凸部３５とを備えるとともに、ハンガー本体３の幅方向（図３および図４において左右方向）に沿うようにして形成された横長の穴である。
開口３４は、正面視コ字状を呈する穴であり、ベルト５の幅と同じか、あるいはベルト５の幅よりも若干大きい幅を有している。また、開口３４の、凸部３５と対向する上端面の両側方には、下方に向かって突出する二つの（第２の）凸部３６が設けられている。凸部３６は、開口３４にベルト５が挿通されて、穴５１内に凸部３５が嵌合した状態で、下端面が当該穴５１の両側方に位置するベルト５の一面（正面：表面）５２と接する（当接する）ようにして形成された（接する（当接する）高さを有する）、正面視矩形状、断面視矩形状を呈する突起である。
凸部３５は、穴５１の幅と同じか、あるいは穴５１の幅よりも若干小さい幅、および開口３４にベルト５が挿通されて、穴５１内に嵌合した状態で、上端面がベルト５の一面５２と同一平面上を形成する高さを有する、正面視矩形状、断面視矩形状を呈する突起である。  
【００２２】
引掛け用フック４は、基端がハンガー本体３の一面３２に接続され、先端部が上方に向かって延びるように形成された、断面視Ｌ字状を呈する部材であり、吊下げ用フック２の延在方向（吊下げ用フック２が延びている方向）と直交する方向に延びている。また、引掛け用フック４の下端面および外側面には、二本の補強リブ４１が、引掛け用フック４の基端から引掛け用フック４の先端部近傍まで連続するようにして設けられている。引掛け用フック４は、バッグＢの少なくとも一本の取っ手を受け入れて（収容して）支持することができる長さを有している。
【００２３】
ベルト５は、基端がハンガー本体３の一端（上端）中央部に連続するようにして接続されて下方に延びる帯状の部材であり、幅方向（図３および図４において左右方向）における中央部には、板厚方向に貫通する長さ調整用の穴５１が、ベルト５の長手方向（図３および図４において上下方向）に沿って複数個（本実施形態では８個）設けられている。穴５１は、ベルト５の幅方向に沿うようにして形成された、正面視矩形状を呈する横長の穴である。また、ベルト５の先端部は、正面視形状が半円状を呈するように形成されており、ベルト５の一面５２における先端部の末端部には、先端（先っぽ）に向かって漸次板厚が薄くなるように形成された傾斜面５３が設けられている。
【００２４】
本実施形態に係るハンガー１によれば、例えば、図２に示すように、バッグＢの一方の取っ手が引掛け用フック４に引っ掛けられ（吊り下げられ）、バッグＢの他方の取っ手がベルト５に引っ掛けられて、吊下げ用フック２が陳列用のハンガー等に引っ掛けられることになる。
これにより、吊下げ用フック２を把持して横方向（陳列用のハンガー等が延びている方向と直交する方向）にスライドさせるだけで、陳列用のハンガー等に奥から順々に引っ掛けられたいずれのバッグＢをも容易に取り出して見ることができる。
【００２５】
また、本実施形態に係るバッグ用ハンガー１によれば、一方の取っ手を少し持ち上げて外方に移動させるだけで、一方の取っ手が引掛け用フック４から容易に取り外されることになる。
これにより、バッグＢの中を容易に見ることができる。
【００２６】
さらに、本実施形態に係るバッグ用ハンガー１によれば、他方の取っ手が引っ掛けられるベルト５は、長さ調整用の穴５１と第１の凸部３５とが係合することにより、当該バッグ用ハンガー１が取り付けられたバッグＧから当該バッグ用ハンガー１を取り外し（取れ）難くしている。
これにより、盗難抑止効果を得ることができる。
【００２７】
さらにまた、本実施形態に係るバッグ用ハンガー１によれば、第２の凸部３６と対向するベルト５の一面（裏面）５２が第２の凸部３６の下端面によって押さえられ、長さ調整用の穴５１と第１の凸部３５との係合が解け難いようになっている。
これにより、盗難抑止効果をさらに高めることができる。
【００２８】
さらにまた、本実施形態に係るバッグ用ハンガー１によれば、バッグＢの他方の取っ手をベルト５に引っ掛ける際、切欠き３３の外側に位置するハンガー本体３が、ベルト５とともに湾曲することになる。
これにより、バッグＢの他方の取っ手をベルト５に容易に引っ掛けることができ、作業性を向上させることができる。
【００２９】
なお、本発明は上述した実施形態に限定されるものではなく、本発明の要旨を逸脱しない範囲内において適宜変更することができる。
【符号の説明】
【００３０】
１  バッグ用ハンガー
２  吊下げ用フック
３  ハンガー本体
４  引掛け用フック
５  ベルト
３２  一面
３３  切欠き
３４  開口
３５  （第１の）凸部
３６  （第２の）凸部
５１  長さ調整用の穴
Ｂ  バッグ
【図１】
2012065856.tif 000003
【図２】
2012065856.tif 000004
【図３】
2012065856.tif 000005
【図４】
2012065856.tif 000006
【図５】
2012065856.tif 000007
【図６】
2012065856.tif 000008